(57)【要約】      （修正有）【課題】快速に乾燥し、変形しにくく、細菌が発生せず、衛生的で、使用寿命が長い木製のしゃもじを提供する。【解決手段】しゃもじ構造は、一体成型の木材からなり、特に、特殊な紋様とフィトンチッドを散発する台湾ヒノキを材料とし、持ち手部１５と盛装部２０を有する。該しゃもじの洗浄時の余分な水分を、快速に、四周及び孔から排出させて快速乾燥し、変形が少なくなるように、該しゃもじ盛装部の縦軸と横軸の交差中心軸の周囲に穴を開けて構成する。【選択図】図１
0003146325.tif 000002
【実用新案登録請求の範囲】
【請求項１】
しゃもじであって、一体成型の木材で成型され、持ち手部と盛装部を有し、前記盛装部は孔を有し、前記盛装部は快速乾燥し、変形しにくいことを特徴とするしゃもじ。
【請求項２】
前記木材は、台湾ヒノキの特殊な紋様と自然に散発するフィトンチッドことを特徴とする請求項１に記載のしゃもじ。
【請求項３】
前記盛装部上の縦軸は左、中、右に三等分され、横軸も上、中、下に三等分されることを特徴とする請求項１に記載のしゃもじ。
【請求項４】
前記孔は直径が約６ミリであることを特徴とする請求項１に記載のしゃもじ。
【請求項５】
前記孔の配列方法は、考案者の方式によるか、或いは、しゃもじを利用した広告、個人名、社名、政党、都市、国家の名称、商標、或いは、標記等に配列してもよいことを特徴とする請求項１に記載のしゃもじ。
【考案の詳細な説明】
【技術分野】
【０００１】
本考案は、しゃもじに関するものであって、特に、快速乾燥し、変形しにくいしゃもじに関するものである。
【背景技術】
【０００２】
米を主食とする人口は多く、しゃもじはその人たちが使用する主要な道具である。公知のしゃもじは木製であり、しゃもじの形に裁断して製造する。科学の発達に伴い、プラスチック製品のしゃもじも広まったが、プラスチック製品のホルムアルデヒド、及び、化学有機物質（TVOC）等の揮発が人体に有害であることが分かり、健康、環境の観念から、自然素材製品への関心が更に高まっている。
【０００３】
公知の木製しゃもじは、毎日使用し、毎食後洗浄する。その際、天候の変化で、自然乾燥の時間が少なくとも６時間以上かかり、乾燥させないと、しゃもじに細菌等の人体に有害な毒素、例えば、アフラトキシンが発生する。
【０００４】
そこで、自然への崇拝、養生の観念、健康趣向など、衣食住の生活における関心への高まりから、木材の独特の材質特性、フィトンチッドの釈放、各種特殊成分、例えば、ヒノキのピネン、カンフェン、ヒノキチオール、テルピネオール等の貴重な天然元素が、健康や、リラックスに効果があることが発見された。よって、各種家具、用品を製造すれば、現代生活の空間に変化をもたらし、生活の品質を向上させることができ、自然の香りに包まれ、居住空間を森林のようにすることができて、理想的である。
【考案の開示】
【考案が解決しようとする課題】
【０００５】
本考案の目的は、新規のしゃもじ構造を提供することにある。
【課題を解決するための手段】
【０００６】
台湾のヒノキを材料とし、台湾のヒノキは紅檜(Benihi）と扁柏（Hinoki）の二種あり、細密な年輪、波状紋様、独特の香り、防虫、耐久、不腐敗、緩慢な成長特性があり、貴重性があって、特に、台湾ヒノキで各種家具、食器などに製作され、自然崇高を重視する日本人に広く愛されている。
【０００７】
市場の動向、各分野の異なる要求に対応するため、その他の木材で製造することもでき、本考案は、材料の選択、乾燥、裁断、加工、研磨、消毒の工程により完成し、表面にはいかなる塗料も着色もせず、１００％原木で製作する。
【０００８】
本考案しゃもじは、幅約７センチ、長さ約２１センチの新型しゃもじ構造で、盛装部上の縦軸は左、中、右に三等分し、横軸も上、中、下に三等分され、しゃもじ構造の大原則は均等分比例で、盛装部は直径約６ミリの孔を有し、孔の配列方法は、考案者の方式によるか、或いは、しゃもじを利用した広告、個人名、社名、政党、都市、国家の名称、商標、或いは、標記等に配列してもよい。
【０００９】
本考案のしゃもじは、しゃもじの強度と靭性に影響しない原則下で、縦軸と横軸の交差中心軸周囲に穴を開けて、洗浄時に余分な水分を、快速に、四周、及び、孔から排出させて、快速乾燥、変形しにくいという欠点を得る。
【００１０】
米が炊き上がる時、米を蒸らしている時、米を装う時、温度が９５〜９８度に達し、熱気は均一に分布した孔から散発し、木材中のフィトンチッド、及び、香りを放出し、平均的、且つ、快速に、各孔から米に散布されて、米の香りをよくし、健康効果を増加する。
【考案の効果】
【００１１】
本考案のしゃもじは、快速に乾燥し、変形しにくく、細菌が発生せず、衛生的で、使用寿命が延長できる。
【考案を実施するための最良の形態】
【００１２】
図１、図２、及び、図５を参照すると、本考案のしゃもじ構造は、一体成型の木材からなり、特に、特殊な紋様とフィトンチッドを散発する台湾ヒノキを材料とし、持ち手部１５と盛装部２０を有する。盛装部上の縦軸は三等分され、左２１、中２２、右２３で、横軸も三等分され、上２４、中２２、下２５（図２で示される）であり、しゃもじ構造の大原則である等分比例によると、盛装部２０の直径が約６ミリの孔３０は、排水以外に、快速にしゃもじのフィトンチッドを瞬間的に大量に釈放し、等分布の孔３０により、フィトンチッドを平均的に米粒上に分布し、米が更に香り立つ。
【００１３】
図３は、本考案の各種木材の物理特性、及び、切断面の組織構造を示す図で、角質層、及び、表皮１、下皮繊維束２、皮層繊維束３、皮層４、靭皮部５、髄心６、気孔（導管）７、鞘繊維８、木質部９からなる。
【００１４】
図４は、本考案の各類木材の物理特性、及び、切断面の組織構造を示す図で、角質層、及び、表皮１、下皮繊維束２、皮層繊維束３、皮層４、靭皮部５、髄心６、気孔（導管）７、鞘繊維８、木質部９、環髄繊維１０等からなる。
【００１５】
総合すると、公知の欠点は、１．公知のしゃもじは、鉄等の金属材質からなり過熱になりやすい。２．公知のしゃもじは、プラスチックからなり、熱で変質しやすく、毒素を発する。３．公知の木製しゃもじは、木材が水分を吸収しやすく、湿気の多い天候では乾燥しにくいので、細菌が発生しやすいことである。本考案の長所は、１．孔を増加し、しゃもじが快速に乾燥し、変形しにくい。２．細菌が発生せず、衛生的である。３．しゃもじの使用寿命が延長できることである。        
【図面の簡単な説明】
【００１６】
【図１】本考案の立体図である。
【図２】本考案の均等比例を示す図である。
【図３】本考案の横方向の断面図（１）である。
【図４】本考案の横方向の断面図（２）である。
【図５】本考案のもう一つの実施例を示す図である。
【符号の説明】
【００１７】
１表皮
２下皮繊維束
３皮層繊維束
４皮層
５靭皮部
６髄心
７気孔（導管）
８鞘繊維
９木質部
１０環髄繊維
１５持ち手部
２０盛装部
２１左
２２中
２３右
２４上
２５下
３０孔
【図１】
0003146325.tif 000003
【図２】
0003146325.tif 000004
【図３】
0003146325.tif 000005
【図４】
0003146325.tif 000006
【図５】
0003146325.tif 000007
【手続補正書】
【提出日】平成20年9月5日(2008.9.5)
【手続補正１】
【補正対象書類名】実用新案登録請求の範囲
【補正対象項目名】全文
【補正方法】変更
【補正の内容】
【実用新案登録請求の範囲】
【請求項１】
しゃもじであって、一体成型の木材で成型され、持ち手部と盛装部を有し、前記盛装部は孔を有し、前記盛装部は快速乾燥し、変形しにくいことを特徴とするしゃもじ。
【請求項２】
前記盛装部上の縦軸は左、中、右に三等分され、横軸も上、中、下に三等分されることを特徴とする請求項１に記載のしゃもじ。
【請求項３】
前記孔は直径が約６ミリであることを特徴とする請求項１に記載のしゃもじ。
【請求項４】
前記孔の配列方法は、考案者の方式によるか、或いは、しゃもじを利用した広告、個人名、社名、政党、都市、国家の名称、商標、或いは、標記等に配列してもよいことを特徴とする請求項１に記載のしゃもじ。